(57)【要約】【課題】  戸外に設置される太陽電池パネル用端子箱内のような温度変化の激しい環境下で使用しても機能を損なわないダイオードを提供する。【解決手段】  一つのチップから一つのリード足が出た後にそのリード足が複数のリード足に分割され、分割された各リード足が端子板に接合されるようにしたことを特徴とするワンチップ搭載型ダイオード。一つのチップから複数のリード足が出て、それらのリード足が端子板に接合されるようにしたことを特徴とするワンチップ搭載型ダイオード。【選択図】  図３
2009176995.tif 000002
【特許請求の範囲】
【請求項１】
一つのチップから一つのリード足が出た後にそのリード足が複数のリード足に分割され、分割された各リード足が端子板に接合されるようにしたことを特徴とするワンチップ搭載型ダイオード。
【請求項２】
一つのチップから複数のリード足が出て、それらのリード足が端子板に接合されるようにしたことを特徴とするワンチップ搭載型ダイオード。
【請求項３】
各リード足がチップから出て端子板に接合される部分までの間で互いに電気的に接続される構成を有することを特徴とする請求項２に記載のワンチップ搭載型ダイオード。
【請求項４】
電気的に接続される構成が、各リード足との一体成型によって形成されることを特徴とする請求項３に記載のワンチップ搭載型ダイオード。
【請求項５】
請求項１〜４のいずれかに記載のワンチップ搭載型ダイオード、及び端子板を含む端子板回路であって、ダイオードの各リード足が端子板に接合されていることを特徴とする端子板回路。
【請求項６】
端子板がダイオードから発生した熱を十分に放散できるように拡大されていることを特徴とする請求項５に記載の端子板回路。
【請求項７】
請求項５又は６に記載の端子板回路を含むことを特徴とする太陽電池パネル用端子箱。
【発明の詳細な説明】
【技術分野】
【０００１】
本発明は、温度変化による端子板の変形によってリード足の接合部分に欠陥が生じた場合であっても性能を確保することができるワンチップ搭載型ダイオードに関する。特に、本発明のダイオードは、放熱のために拡大された端子板を持つ太陽電池パネル用端子箱中の端子板回路に使用するのに好適なものである。
【背景技術】
【０００２】
ダイオードは一般に、回路内でその機能を発揮させるために、ダイオードのリード足を端子板に接合することによって電気的に接続される。
【０００３】
ダイオードの端子板への電気的接続は、通常の使用では、強固に接続されているが、太陽電池パネル用端子箱内に設置される端子板では、温度変化が著しい環境で使用されるため、端子板の平面方向の膨張・収縮が頻繁に起こり、従ってダイオードのリード足の端子板への接合部分がそれに耐えきれずに亀裂を起こして接合部分が容易に剥離してしまうという問題があった。
【０００４】
特に、特許文献１の太陽電池パネル用端子箱のように、ダイオードの放熱効果向上のために拡大された端子板を有するものは、端子板の平面方向の膨張・収縮がダイオードのリード足と端子板の接合部分に大きく伝達されるため、上記の問題が顕著に表れていた。従って、かかる環境においても信頼性の高い状態でダイオードを機能させることができる方法が求められていた。
【特許文献１】特開２００５−２５１９６２号公報
【発明の開示】
【発明が解決しようとする課題】
【０００５】
本発明は、かかる従来技術の現状に鑑み創案されたものであり、その目的は、戸外に設置される太陽電池パネル用端子箱内のような温度変化の激しい環境下で使用しても機能を損なわないダイオード、及びそのダイオードを接合した端子板回路、並びにそれを含む太陽電池パネル用端子箱を提供することにある。
【課題を解決するための手段】
【０００６】
本発明者は、かかる目的を達成するために鋭意検討した結果、ダイオードのチップから一つのリード足を出した後にそのリード足を複数のリード足に分割して端子板に接合するか、又はチップから複数のリード足を出してそれらのリード足を端子板に接合することにより、ダイオードのリード足の端子板に接合される部分のいずれかに欠陥が生じた場合であっても端子板に接合される他のリード足の部分がそれを補ってチップの機能を確保できることを見い出し、本発明の完成に至った。
【０００７】
即ち、本発明の第一実施態様は、一つのチップから一つのリード足が出た後にそのリード足が複数のリード足に分割され、分割された各リード足が端子板に接合されるようにしたことを特徴とするワンチップ搭載型ダイオードである。
【０００８】
また、本発明の第二実施態様は、一つのチップから複数のリード足が出て、それらのリード足が端子板に接合されるようにしたことを特徴とするワンチップ搭載型ダイオードである。本発明の第二実施態様では、各リード足がチップから出て端子板に接続される部分までの間で互いに電気的に接合される構成を有することが好ましく、また、電気的に接続される構成が、各リード足との一体成型によって形成されることが好ましい。
【０００９】
また、本発明は、上記ワンチップ搭載型ダイオード、及び端子板を含む端子板回路であって、ダイオードの各リード足が端子板に接合されていることを特徴とする端子板回路である。本発明の端子板回路の好ましい態様では、端子板はダイオードから発生した熱を十分に放散できるように拡大されている。
【００１０】
さらに、本発明は、上記端子板回路を含むことを特徴とする太陽電池パネル用端子箱である。
【発明の効果】
【００１１】
本発明のワンチップ搭載型ダイオードは、端子板に接合されるリード足を複数存在するようにしたので、リード足のいずれかの接合部分に欠陥が生じた場合であっても、他のリード足の接合部分がそれを補完し、その機能を安全に確保することができる。特に、本発明のダイオードは、放熱効果向上のために拡大された端子板を有する太陽電池パネル用端子箱中の端子板回路で使用しても安全に長期にわたって使用することができる。
【発明を実施するための最良の形態】
【００１２】
本発明のダイオードは、単一のチップを搭載したワンチップ搭載型ダイオードを使用するが、端子板に接合されるリード足を複数存在するようにしたことに特徴がある。チップが一つでありながら端子板に接合されるリード足を複数にしたのは、リード足と端子板の接合部分の欠陥に対して複数のリード足で対応するためであり、具体的には複数のリード足のうちのいずれか一つに欠陥が生じた場合であっても他のリード足がこの欠陥を補完できる構成を持つためである。
【００１３】
本発明のダイオードのリード足の態様としては、（ｉ）図２（ａ），（ｂ）に記載のようにチップから一つのリード足が出た後にそのリード足が複数（図では二つ）のリード足に分割され、分割された各リード足が端子板に接合されるようにしたもの、及び（ｉｉ）図３（ａ），（ｂ）に記載のようにチップから複数（図では二つ）のリード足が出て、それらのリード足が端子板に接合されるようにしたものが挙げられる。図２の（ａ）と（ｂ）はそれぞれ、被覆絶縁樹脂がカバーされたときにリード足の分割部分が外から見える場合と見えない場合を示し、図３の（ａ）と（ｂ）はそれぞれ、リード足が単一の部分で作られている場合、及び内部リード足と外部リード足のように複数の部品で作られている場合を示す。なお、ダイオードのリード足の端子板への接合は、従来公知の方法で行なうことができ、例えば半田付け、溶接、機械的結合（挟み込み等）、半田付けと機械的結合の組み合わせで行なうことができる。
【００１４】
従来のワンチップ搭載型ダイオードは、一般に図１の被覆絶縁樹脂を省略した概略図に示すように、フレーム上にチップが一個搭載され、そのチップから一つのリード足が外に出て、そのリード足の先端で端子板に接合されるようになっている。従って、リード足の端子板への接合部分に欠陥が生じると、電流が流れず性能的に機能しないことが起こりうる。
【００１５】
これに対して、本発明のワンチップ搭載型ダイオードは、例えば図２及び図３の被覆絶縁樹脂を省略した概略図に示すように、フレーム上に搭載された一個のチップから一つのリード足が出た後に複数のリード足に分割しているか又はチップから複数のリード足が出ることによって、端子板に接合されるリード足を複数存在するようにしている。従って、一つのリード足の端子板への接合部分に欠陥が生じても、電流は他のリード足の端子板への接合部分を経て流れることができるので、チップが有効に機能し、性能的に問題を生じない。
【００１６】
図３では、チップから複数（図では二つ）のリード足が出て、それらのリード足が独立して端子板に接合される例を示したが、図４及び図５の概略図のように、各リード足がチップから出て端子板に接合される部分までの間で互いに電気的に接続される構成を有することが好ましい。かかる構成により、リード足の電流の経路を複数確保できるとともに、各リード足が端子板に接合されるときに各リード足と接続部分にわたる広い範囲の強固な半田付けが可能になる。上記の構成は、各リード足とは別体の部品で行なうこともできるが、各リード足との一体成型により形成されることが好ましい。図４と図５の違いは、被覆絶縁樹脂がカバーされたときに各リード足の電気的に接続される構成が外部から見えるようにしたか（図４）又は見えないようにしたか（図５）にある。なお、図２〜５ではチップからリード足が直接出るタイプを示したが、図６（ａ），（ｂ）の概略図のように、チップからワイヤボンディングを介して間接的にリード足が出るタイプのものも本発明のダイオードに包含される。
【００１７】
本発明のダイオードは、各リード足を端子板に接合されて端子板回路を構成することができ、このとき端子板はダイオードから発生した熱を十分に放散できるように拡大することが好ましい。このように形成した端子板回路は、特に温度変化が激しい環境で使用される太陽電池パネル用端子箱に組み込まれても長期間にわたる信頼性が高い。
【産業上の利用可能性】
【００１８】
本発明のダイオードによれば、温度変化の激しい環境下で端子板とのリード足の接合部分に欠陥が生じても満足に機能するように作られているので、太陽電池パネル用端子箱内の端子板回路のような過酷な使用環境において極めて有用である。
【図面の簡単な説明】
【００１９】
【図１】図１は従来のワンチップ搭載型ダイオードを被覆絶縁樹脂を省略した状態で概略的に示す。
【図２】図２（ａ），（ｂ）は本発明のワンチップ搭載型ダイオードの一例を被覆絶縁樹脂を省略した状態で概略的に示す。
【図３】図３（ａ），（ｂ）は本発明のワンチップ搭載型ダイオードの一例を被覆絶縁樹脂を省略した状態で概略的に示す。
【図４】図４（ａ），（ｂ）は本発明のワンチップ搭載型ダイオードの一例を被覆絶縁樹脂を省略した状態で概略的に示す。
【図５】図５（ａ），（ｂ）は本発明のワンチップ搭載型ダイオードの一例を被覆絶縁樹脂を省略した状態で概略的に示す。
【図６】図６（ａ），（ｂ）は本発明のワンチップ搭載型ダイオードの一例を被覆絶縁樹脂を省略した状態で概略的に示す。
【図１】
2009176995.tif 000003
【図２】
2009176995.tif 000004
【図３】
2009176995.tif 000005
【図４】
2009176995.tif 000006
【図５】
2009176995.tif 000007
【図６】
2009176995.tif 000008